(57)【要約】【課題】切れ味の良好な手術用メスを提供すること。【解決手段】略平板状の刃体１の周縁に刃を備えた手術用メスであって、刃２の刃先に凹設させた微小な開口幅の凹部３が刃先上に間隔を空けて配置されると共に、配置は凹部同士の間の刃部２’が刃渡り長の大半を占める様に配置されていることを特徴とする。【選択図】    図１
2004350753.tif 000002
【特許請求の範囲】
【請求項１】
略平板状の刃体の周縁に刃を備えた手術用メスであって、前記刃の刃先に凹設させた微小な開口幅の凹部が前記刃先上に間隔を空けて配置されると共に、前記配置は前記凹部同士の間の刃部が刃渡り長の大半を占める様に配置されていることを特徴とする手術用メス。
【請求項２】
略平板状の刃体の周縁に刃を備えた手術用メスであって、前記刃の刃先近傍から延びる微小な溝幅の溝が前記刃体の側面に間隔を空けて設けられたことを特徴とする手術用メス。
【請求項３】
略平板状の刃体の周縁に刃を備えた手術用メスであって、前記刃の刃先に凹設させた微小な開口幅の凹部が前記刃先上に間隔を空けて配置されると共に、前記配置は前記凹部同士の間の刃部が刃渡り長の大半を占める様に配置され、且つ、前記刃先近傍から延びる微小な溝幅の溝が前記刃体の側面に間隔を空けて設けられたことを特徴とする手術用メス。
【請求項４】
溝が凹部を始点として延びていることを特徴とする請求項３記載の手術用メス。
【請求項５】
略平板状の刃体の周縁に刃を備えた手術用メスであって、前記刃の刃先に凹設させた微小な開口幅の凹部が前記刃先上に間隔を空けて配置された手術用メス、の製造方法であって、
前記刃の側面にレーザー照射を施すことにより前記凹部が照射痕として形成されることを特徴とする手術用メスの製造方法。
【請求項６】
請求項２記載の手術用メスの製造方法であって、
前記刃体の側面にレーザー照射を施すことにより前記溝が照射痕として形成されることを特徴とする手術用メスの製造方法。
【請求項７】
略平板状の刃体の周縁に刃を備えた手術用メスであって、前記刃の刃先に凹設させた微小な開口幅の凹部が前記刃先上に間隔を空けて配置され、且つ、前記刃先近傍から延びる微小な溝幅の溝が前記刃体の側面に間隔を空けて設けられ、前記溝が前記凹部を始点として延びている手術用メス、の製造方法であって、
前記刃体の側面にレーザー照射を施すことにより前記凹部と前記溝とが照射痕として形成されることを特徴とする手術用メスの製造方法。
【発明の詳細な説明】
【０００１】
【発明の属する技術分野】
この発明は、手術用メスとその製造方法との改良に関する。
【０００２】
【従来の技術と発明が解決しようとする課題】
一般に手術用メスにおいては、皮膚など切開対象物の切開時に切れ味の良好であることが要求される。切れ味が充分でない場合には、例えば切開時にメスの軌跡が切開対象物上を僅かながらも蛇行する現象を起こす場合がある。従って切れ味に様々な工夫されてはいるが、一層の切れ味向上が求められている。
また、通常は刃そのものの切断機能により切開されるのであるが、切開対象物によっては筋状の成分のある様な場合があり、この様な場合には刃による切断機能だけではなく、筋状の成分を何らかのものに係止させて引き切る方が切開が容易に成される場合もある。
また更に、切開時には油分や血液などが滲み出るが、この様な油分や血液などは刃にまとわり付く等して良好な切開の邪魔になっている。
【０００３】
以上の問題を鑑み、本願発明が解決しようとする課題は、切れ味の良好な手術用メスを提供することにある。
【０００４】
【課題を解決するための手段と発明の効果】
この課題を解決するため本願請求項１記載の発明では、略平板状の刃体の周縁に刃を備えた手術用メスであって、前記刃の刃先に凹設させた微小な開口幅の凹部が前記刃先上に間隔を空けて配置されると共に、前記配置は前記凹部同士の間の刃部（凹部と凹部の間の部分的な刃）が、刃渡り長の大半を占める様に配置されていることを特徴とする。
これにより、刃で切開対象物を切開しがらも、この切開対象物に筋状の成分がある様な場合には、凹部に係止させて引き切る機能が得られ、切開が容易に成されるのである。
【０００５】
なおここで凹部の微小な開口幅とは、一例として、５０μｍ、４０μｍ、３０μｍ、２０μｍ、１５μｍ、１０μｍ等が挙げられるが、これに限らない。また「刃部が刃渡り長の大半を占める様に配置」とは、例えば開口幅２０μｍの凹部が１ｍｍの間隔を空けて配置されている様な場合であり、この例の場合は、凹部は刃渡り長の２％（＝２０μｍ÷１ｍｍ）を占めるにとどまり、刃部が刃渡り長の９８％となってその大半を占めることとなる。換言すれば、この「刃部が刃渡り長の大半を占める」とは、切開対象物を切開するのはあくまで刃によるのであって、凹部はその切開対象物に筋状の成分がある様な場合に、これを凹部により引っかけて引き切ることにより、刃部による切開機能を補助するものなのであり、具体的には、後述する実施例の図２に例示される様な割合になるのである。
【０００６】
請求項２記載の発明は、略平板状の刃体の周縁に刃を備えた手術用メスであって、刃先近傍から延びる微小な溝幅の溝が前記刃体の側面に間隔を空けて設けられたことを特徴とする。
これによれば、切開時に生ずる油分や血液などをこの溝を伝わせて刃の近傍から逃がすことができ、これにより良好な切開性能が得られる。
【０００７】
請求項３記載の発明は、略平板状の刃体の周縁に刃を備えた手術用メスであって、前記刃の刃先に凹設させた微小な開口幅の凹部が前記刃先上に間隔を空けて配置されると共に、前記配置は前記凹部同士の間の刃部が刃渡り長の大半を占める様に配置され、且つ、刃先近傍から延びる微小な溝幅の溝が前記刃体の側面に間隔を空けて設けられたことを特徴とする。
これは、請求項１と請求項２の発明の特徴を併せ持つものであり、即ち、刃による切開を主機能としながらも、切開対象物に含まれる筋状成分を凹部に係止させて引き切ることにより、刃による切開機能を補助するものであり、その際に生ずる油分などを溝に伝わせて刃先近傍から逃がすことができるので、これら凹部と溝による機能が相俟って良好な切開性能が得られる。
【０００８】
請求項４記載の発明は、請求項３記載の発明において、溝が凹部を始点として延びていることを特徴とする。
これにより切開による油分などの溜まりやすい凹部から、この油分などを逃がすこと効率よく行うことができる。また溝を形成する際には、この溝を刃に交叉する様に形成することにより、刃先が溝として抉られて凹部と溝が同時にできるので、この点で製造が容易になる。
【０００９】
請求項５〜７記載の各発明は、それぞれの特許請求の範囲に記載されたとおりであるが、請求項５記載の製造方法が対象としている手術用メスは、凹部同士の間隔の限定（凹部の間隔が、刃部が刃渡り長の大半を占める様な間隔、という限定）がない点以外は請求項１に記載された手術用メスと同じである。
また請求項６の製造方法が対象としている手術用メスは、請求項２の手術用ナイフであり、請求項７の製造方法が対象としている手術用メスは、請求項５同様に凹部同士の間隔の限定がない点以外は、請求項４に記載された手術用メスと同じである。
【００１０】
これら発明により、微小な開口幅の凹部や、微小な溝幅の溝の形成が容易に行うことができる。またレーザー照射は瞬時に終わるのでこれらの形成が短時間でできる。
【００１１】
【発明の実施の形態】
次ぎに、本願発明の手術用メスの実施例と、その製造方法の実施例を、図を用いて説明する。
（実施例１）図１に示す刃体１はホルダ（図示せず）に取り付けられている。この刃体１は、その周縁の一辺に直線状の刃２を備えている。この刃の刃先には、凹設させた２０μｍという微小な開口幅Ｗの凹部３が、図２に示す様に、刃先上に１ｍｍづつの間隔を空けて配置されている。図１には刃に直交する線分４が間隔を置いて描いてあるが、これは凹部３を形成する時の直交するレーザー照射痕である。そしてこの配置は、前記凹部３，３同士の間の刃部２’が刃渡り長の大半を占める様に配置となっている。図２はこの凹部３の２０μｍと、間隔の１ｍｍとの長さ比率をそのまま表した図であり、この図からも刃部２’の部分が刃渡り長の大半を占めていることが分かる。
【００１２】
この様な刃体１の形成方法であるが、図１に示した様な形状の刃体１に刃付けをして、通常の刃体（凹部のない刃体）を一旦完成させ、この刃体に対して、その側面にレーザー照射を施すことにより凹部３が照射痕として形成される。レーザーは図示しない照射装置に設けられている反射鏡の向きを動かすだけで、所望の照射対象物の表面に照射の軌跡を描かせることができるので、刃先線２ａと交叉する様な軌跡を短く描かせて照射するだけで、凹部３がレーザーに焼かれた照射痕として形成される。この様なレーザー照射を、照射装置の反射鏡の角度を変えながら、間隔を空けて行うことにより、図１〜２に示されている様な凹部３の配置された刃体１が形成されるのである。凹部３の開口幅Ｗは照射するレーザービームの幅（太さ）を所望幅に変更すればよく、これはレーザー照射装置のレンズの絞りを変えるだけで容易に変更できる。
【００１３】
（実施例２）図３は別の実施例であり、刃の先端寄りＡが凸曲線状に形成されている。また凹部３を形成するレーザー照射は、刃先線２ａに直交して行われ、凸曲線状の刃先部分は、この凸曲線の各々の箇所で直交する様に照射させてある。
【００１４】
（実施例３）図４は更に別の実施例であり、刃の刃先近傍から延びる微小な溝幅の溝５が前記刃体の側面に間隔を空けて設けられたものであり、その際、溝は凹部を始点として延びている。
この溝は刃先に直交させてレーザーを照射する際に、照射軌跡を長くすることによりできるレーザーの照射痕であり、図２の示されたレーザー照射痕による線分４と同様のものである。
【図面の簡単な説明】
【図１】この図は、実施例１に示された手術用メスに取り付けられる刃体の図である。
【図２】この図は、図１の刃体の刃先を拡大した部分図であり、開口部が２０μｍの凹部を１ｍｍ間隔で設けた際の様子を、実際の比率で表してある。
【図３】この図は、実施例２に示された手術用メスに取り付けられる刃体の図である。
【図４】この図は、実施例３に示された手術用メスに取り付けられる刃体の図である。
【符号の説明】
１  刃体
２  刃
３  凹部
４  レーザー痕により線分
５  溝
【図１】
2004350753.tif 000003
【図２】
2004350753.tif 000004
【図３】
2004350753.tif 000005
【図４】
2004350753.tif 000006